(57)【特許請求の範囲】
【請求項１】
端末カラオケデータベースと、記憶手段と、制御手段と、ユーザインタフェースを備え、カラオケサーバーと通信可能なカラオケ演奏端末であって、
端末カラオケデータベースは、楽曲番号に対応付けした各楽曲ごとのカラオケデータを集約し、
カラオケデータは、楽曲のカテゴリ分類を可能とする属性コードを含み、
記憶手段は、当該カラオケ演奏端末の端末識別子と、楽曲分類記述を格納し、
楽曲分類記述は、属性コードの組み合わせ論理式により、各楽曲を有効楽曲と無効楽曲の２種類に区分する記述であり、
制御手段は、カラオケサーバーからカラオケデータを受信した際、受信したカラオケデータを端末カラオケデータベースに蓄積し、
制御手段は、ユーザインタフェースによる利用者入力に基づいて楽曲分類記述を作成して記憶手段に格納し、
制御手段は、作成された楽曲分類記述を端末識別子とともにカラオケサーバーに送信し、
制御手段は、リクエストされた楽曲が有効楽曲に区分されている場合、当該楽曲のカラオケデータを演奏し、
制御手段は、リクエストされた楽曲が無効楽曲に区分されている場合、当該楽曲を演奏できない旨を報知出力する
カラオケ演奏端末。
【請求項２】
情報管理データベースと、サーバー制御手段と、親カラオケデータベースを備え、請求項１に記載の複数のカラオケ演奏端末と通信可能なカラオケサーバーであって、
情報管理データベースは、端末識別子に対応付けした端末管理情報を集約し、
端末管理情報は、カラオケ演奏端末から受信した楽曲分類記述を含み、
サーバー制御手段は、端末管理情報に基づいて該当のカラオケ演奏端末の情報利用料金を求める課金処理の際、該当の楽曲分類記述に基づいて無効楽曲の区分内容に応じて減額する処理を行い、
サーバー制御手段は、親カラオケデータベースに新規登録された楽曲のカラオケデータを各カラオケ演奏端末に配信する
カラオケサーバー。
【発明の詳細な説明】
【０００１】
【発明の属する技術分野】
本発明は通信カラオケシステムに関し、とくに、演奏端末毎のカラオケデータの使用制限などに伴う情報管理など、通信カラオケシステムの運用方法に関する。また、その運用方法を適用したカラオケ演奏端末、カラオケサーバーにも関する。
【０００２】
【従来の技術】
通信カラオケシステムは、カラオケサーバーと多数のカラオケ演奏端末とがネットワークを介して適時に通信し、カラオケサーバーから各カラオケ演奏端末に補充すべき楽曲のカラオケデータを各カラオケ演奏端末に配信して各カラオケ演奏端末の記憶部に蓄積する。カラオケデータは、ＭＩＤＩ形式で記述された音楽生成データと、この音楽生成データとの同期データを含んで歌詞文字列の生成起源となる歌詞描出データとを含んでいる。カラオケ演奏端末は、リクエストされた楽曲のカラオケデータを記憶部より読み出して処理し、伴奏音楽と歌詞画像とを同期させて音響映像出力する。
【０００３】
通信カラオケシステムの利点は、新曲など、新規のカラオケソフトの追加にも迅速に対応できることにある。光ビデオディスクなどの記録媒体を使用した従来のパッケージ型カラオケソフトが録音や歌詞画像・背景映像の収録などによって「制作」されるのに対し、通信カラオケシステムにおけるカラオケソフトは、コンピュータ上で楽譜や歌詞を編集するだけの作業で「作成」される。そのため、カラオケソフトの作成に掛かる時間やコストを格段に押さえることが可能となる。また、カラオケデータはハードディスクに格納されるため、パッケージ型カラオケソフトのように記録媒体を収納するための大きなスペースも不要となる。
【０００４】
さらに、カラオケサーバーとカラオケ演奏端末とのデータ通信を通じて取得される各種情報を適宜に加工して、カラオケサーバーの運営者（以下、事業者）側の各種業務に利用したり、カラオケ楽曲演奏以外のサービスを利用者に還元したりしている。
具対的には、カラオケサーバーは、カラオケ演奏端末とのデータ通信を通じて取得した情報や、カラオケ施設の運営者（以下、店舗）についての情報（名称・所在地など）を端末管理情報として情報管理データベースにて管理している。カラオケ演奏端末から取得されるデータとしては、演奏履歴などカラオケ演奏端末における稼働・設定状態に関わる情報があり、その稼働状態に基づいて楽曲の演奏機会ごとに課金される著作権使用料をカラオケ演奏端末ごとに計算し、配信したカラオケソフト代金と合わせて情報利用料金として各店舗に請求する。多数のカラオケ演奏端末から集計した演奏履歴に基づいて楽曲毎の演奏回数を計算すれば、市場動向の調査資料やカラオケ人気番付など、事業者や利用者のための各種２次情報が取得できる。
【０００５】
【発明が解決しようとする課題】
上述したように、通信カラオケシステムの運用に伴って、カラオケソフト代金とカラオケソフトの利用機会毎に課金される著作権使用料など、各種情報利用料金が店舗側費用として発生し、店舗は、これら情報利用料を事業者に支払う。事業者は、各店舗から徴収した情報利用料金から著作権使用料を差し引き、残りの費用で配信に関わる通信費やカラオケサーバー自体のメンテナンス費用などを賄う。
【０００６】
店舗側は、客層がある程度固定されてほとんど利用されない楽曲があれば、その楽曲のカラオケソフトは極力購入しないようにしたい。事業者側は、カラオケソフトの販売代金と通信費との兼ね合いを考えて、必要かつ十分なカラオケソフトを配信したい。このように微妙に異なる双方の思惑を考慮すると、通信カラオケシステムの運用方法を工夫し、システム全体に掛かる管理・運用コストを削減することが必要となる。
【０００７】
特開平８−２３４７７０号公報や特開平１０−１６１６６９号公報に開示された通信カラオケシステム（以下、従来例）では、カラオケ演奏端末にて指定した特定のジャンルや歌手名などの楽曲分類カテゴリ（以下、カテゴリ）に属する楽曲のみを配信するという運用方法が提案されている。この運用方法は店舗にとって合理的であるように思われる。
【０００８】
しかし、カラオケサーバーのメンテナンスという側面から見ると、膨大なカラオケ演奏端末に配信すべき楽曲がそれぞれに異なる。しかも端末側の都合によって簡単に変更することができる。そのため、配信すべき楽曲とその配信先などの情報管理やカラオケ演奏端末毎の配信確認などに関わるメンテナンス作業が煩雑となる。このメンテナンス費用を考えると通信カラオケシステム全体ではコスト高になる可能性が高い。
【０００９】
さらに上記従来例の運用方法では、店舗側でも不合理が生じる。例えば、それまで配信されていたあるカテゴリに属する楽曲の配信を以後中止とするように変更したとする。そうすると、それまでに配信されていたそのカテゴリの楽曲については演奏が可能であるが、変更後はそのカテゴリの楽曲が配信されないため演奏ができなくなる。これでは利用者にとって不便であるばかりか混乱を招くことになる。もちろん、カラオケ演奏端末毎に演奏が可能な楽曲を記載した目次本を用意すればよいが、膨大な数のカラオケ演奏端末毎に目次本を作成すれば、その作成コストは計り知れないほど莫大なものとなる。当然、そのコストの一部は店舗や利用者が負担することになる。カラオケ演奏端末毎に演奏できる楽曲のカテゴリを固定してしまえばよいが、それでは客層が変化したときなどに対応できず、これも問題が多い。
【００１０】
そこで本発明は、演奏可能な楽曲を自在に選択できるようにして店舗側に掛かる情報利用料に掛かる無駄をなくしつつ、客層の変化にも柔軟に対応でき、しかも、システム全体に掛かる運用コストをも低減させることができる通信カラオケシステムの運用方法を提供することを目的としている。また、その運用方法を適用したカラオケ演奏端末とカラオケサーバーを提供することも目的とする。
【００１１】
【課題を解決するための手段】
第１発明に係るカラオケ演奏端末は、分説すると、つぎの事項（１）〜（10）により特定されるものである。
（１）端末カラオケデータベースと、記憶手段と、制御手段と、ユーザインタフェースを備え、カラオケサーバーと通信可能なカラオケ演奏端末であること
（２）端末カラオケデータベースは、楽曲番号に対応付けした各楽曲ごとのカラオケデータを集約すること
（３）カラオケデータは、楽曲のカテゴリ分類を可能とする属性コードを含むこと
（４）記憶手段は、当該カラオケ演奏端末の端末識別子と、楽曲分類記述を格納すること
（５）楽曲分類記述は、属性コードの組み合わせ論理式により、各楽曲を有効楽曲と無効楽曲の２種類に区分する記述であること
（６）制御手段は、カラオケサーバーからカラオケデータを受信した際、受信したカラオケデータを端末カラオケデータベースに蓄積すること
（７）制御手段は、ユーザインタフェースによる利用者入力に基づいて楽曲分類記述を作成して記憶手段に格納すること
（８）制御手段は、作成された楽曲分類記述を端末識別子とともにカラオケサーバーに送信すること
（９）制御手段は、リクエストされた楽曲が有効楽曲に区分されている場合、当該楽曲のカラオケデータを演奏すること
（10）制御手段は、リクエストされた楽曲が無効楽曲に区分されている場合、当該楽曲を演奏できない旨を報知出力すること
【００１２】
第２発明に係るカラオケサーバーは、分説すると、つぎの事項（21）〜（25）により特定されるものである。
（21）情報管理データベースと、サーバー制御手段と、親カラオケデータベースを備え、第１発明に係る複数のカラオケ演奏端末と通信可能なカラオケサーバーであること
（22）情報管理データベースは、端末識別子に対応付けした端末管理情報を集約すること
（23）端末管理情報は、カラオケ演奏端末から受信した楽曲分類記述を含むこと
（24）サーバー制御手段は、端末管理情報に基づいて該当のカラオケ演奏端末の情報利用料金を求める課金処理の際、該当の楽曲分類記述に基づいて無効楽曲の区分内容に応じて減額する処理を行うこと
（25）サーバー制御手段は、親カラオケデータベースに新規登録された楽曲のカラオケデータを各カラオケ演奏端末に配信すること
【００１６】
【発明の実施の形態】
＝＝＝通信カラオケシステムの構成＝＝＝
本発明による運用方法の実施例を図１に例示した通信カラオケシステムに適用させる。ここで例示した通信カラオケシステムは、電話回線網を介してホストコンピュータとして機能するカラオケサーバーと多数のカラオケ演奏端末とがデータ通信を行う。もちろん、インターネットなどの他のネットワークにカラオケサーバーやカラオケ演奏端末が接続されている形態も考えられる。
【００１７】
カラオケサーバー２０は、コンピュータ２１を主体として、モデムなどの通信制御部２２と、カラオケデータを蓄積したカラオケデータベース２３と、各カラオケ演奏端末に関する演奏履歴などを端末管理情報として管理する情報管理データベース２４とを含んで構成されており、従来の通信カラオケシステムにおけるカラオケサーバーと同様のハードウエア構成である。
【００１８】
＝＝＝カラオケ演奏端末の構成と基本的な動作＝＝＝
図２は上記通信カラオケシステムにおけるカラオケ演奏端末の機能ブロック図を示している。このカラオケ演奏端末１のハードウエア構成も従来と同様である。カラオケ演奏端末１の具体的な構成や基本的な動作を説明すると、中央制御部２は、内部にＣＰＵ、ＲＡＭ、ＲＯＭを含むマイコンであり、バス１００を介して周辺各構成部とデータ通信を行い、このカラオケ演奏端末１を統括している。中央制御部２は、カラオケサーバーより配信されたカラオケデータを通信制御部１６を介して受け取り、それをハードディスク装置３に蓄積していく。
【００１９】
中央制御部２は、リモコン送信器５や操作パネル６などのユーザインタフェースにて指定入力されたリクエスト楽曲の楽曲番号を操作制御部７を介して受け取ると、その入力順と楽曲番号とを対応づけてＲＡＭに格納し、この楽曲を演奏予約する。この楽曲の演奏順番になると、ハードディスク装置３より該当の音楽生成データと歌詞描出データとを取り出して処理する。音楽生成データはシンセサイザ８に順次転送され、ここで生成された伴奏音楽のオーディオ信号とマイクロホン１１から入力されたオーディオ信号はミキシングアンプ９に入力され、その混合オーディオ信号がスピーカ１０に向けて出力される。
【００２０】
一方、歌詞描出データを音楽生成データと同期して処理し、伴奏音楽に同期した歌詞画像を生成してビデオＲＡＭ１２に順次ビットマップ展開する。ＣＤ−ＲＯＭチェンジャ１３はＭＰＥＧ１形式などの映像データを格納したＣＤ−ＲＯＭを多数格納し、中央制御部２の制御に従って、適宜なＣＤ−ＲＯＭに格納されている映像データを復号してその映像信号を出力するものであり、映像制御部１４は、ビデオＲＡＭに展開された歌詞画像をＣＤ−ＲＯＭチェンジャ１３が出力する適宜なムード映像の映像信号にスーパーインポーズし、歌詞画像入りのムード映像をディスプレイ１５に表示出力する。
【００２１】
＝＝＝通信カラオケシステムの運用方法の概略＝＝＝
本発明の基本的な思想は、利用頻度の低い楽曲については極力演奏しないで無駄な楽曲に掛かる情報利用料金を削減し、その一方で、カラオケサーバー側の配信管理に掛かるコストをも削減しようというものである。
【００２２】
本実施例では、カラオケサーバー２０は補充すべき楽曲のカラオケデータは全て配信することとして、カラオケ演奏端末１には配信楽曲を選択するための権限を持たせない。カラオケ演奏端末１は、店舗側にて設定される特定のカテゴリに属する楽曲を無効楽曲として演奏を禁止する。カラオケサーバー２０は、各カラオケ演奏端末１における無効楽曲の設定状態を管理し、無効楽曲については情報利用料金を減額するなど、各カラオケ演奏端末１に課金する情報利用料金を個別に算出する。
【００２３】
無効楽曲の設定変更があっても、カラオケ演奏端末にはすでに配信されたカラオケデータが存在するので、同じカテゴリに演奏できる曲とできない曲とが混在するといった事態も回避できる。以下、本実施例における運用方法について説明することとする。
【００２４】
＝＝＝無効楽曲の設定・通知・リクエスト＝＝＝
＜カラオケ楽曲の分類＞
周知の通り、カラオケ楽曲はジャンル別・歌手別・年代別などによって分類される。ジャンル・歌手・年代など、各カテゴリの集合に含まれている複数のカテゴリのそれぞれに所定のコードを割り当て、楽曲とそのコードとを対応付けて、多数の楽曲から特定のカテゴリに属する楽曲群を分類・抽出することができるのである。本実施例では、カラオケデータにそのコードが付帯しており、中央制御部２はそのコードに基づいて各カラオケ楽曲のカテゴリを判別する。
【００２５】
＜無効楽曲の設定＞
店舗側は、客層などに応じて、利用頻度の低い楽曲を無効楽曲に設定する。無効楽曲はカテゴリ単位で指定できる。ユーザインタフェース（５，６）にて適宜な操作入力を行うと、中央制御部２は、無効楽曲の設定モードを起動させ、ディスプレイ１５にジャンル・歌手名・年代など、カテゴリ集合を一覧を表示する。この集合一覧からある集合を指定する旨の利用者入力を受け付けて、その集合に含まれるカテゴリを一覧表示する。例えばジャンルの集合を選択すれば、ロック・ポップス・演歌・・・などのカテゴリが一覧表示される。年代であれば、１９６０年代・１９７０年代・・・・などである。歌手など、その集合に含まれるカテゴリが極めて多い場合は、ＡＢＣ順・あいうえお順とういうように、所望のカテゴリを検索するためのユーザインタフェース環境を別途提供する。
【００２６】
本実施例では、例えば「ポップスに属する楽曲を無効楽曲に設定するとともに、特定の歌手Ａの楽曲についてはその設定を解除して有効楽曲にする」など、各集団のそれぞれから指定した複数のカテゴリの共通集合・和集合・差集合など、任意のカテゴリに属する楽曲を無効楽曲あるいは有効楽曲に設定することができるようになっている。
【００２７】
中央制御部２は、このように設定された無効楽曲の楽曲番号をピックアップし、その一覧表（無効楽曲台帳）を作成し、これをハードディスク装置３に格納する。そして、この無効楽曲台帳を参照することで、無効楽曲と有効楽曲とを区別する。新規のカラオケデータが配信されると、そのカラオケデータのカテゴリを調査し、無効楽曲に該当する楽曲番号を無効楽曲台帳に追記していく。
＜無効楽曲通知電文＞
カラオケ演奏端末１は、無効楽曲の設定に応動して、その旨を無効楽曲通知電文としてカラオケサーバー２０に通知する。本実施例では、その電文にカラオケ演奏端末１の識別子と、無効楽曲のカテゴリと、無効楽曲の設定日とを記載する。図３にこの無効楽曲通知電文の概略構成を示した。この例では、無効楽曲の設定時におけるカテゴリの指定状態が集合演算子（＊，＋，−）を使って表現されている。
【００２８】
＜無効楽曲のリクエスト＞
中央制御部２は、楽曲のリクエスト機会ごとに上記無効楽曲台帳を参照し、その台帳に記載されていない楽曲（有効楽曲）である場合は、該当のカラオケデータを処理してその楽曲を演奏する。無効楽曲がリクエストされると楽曲の演奏処理を禁止し、演奏できない旨をこの楽曲をリクエストした利用者に報知する。本実施例では、演奏が不可能である旨の記載内容を含んだ適宜な画像データを用意しておき、この画像データをビデオＲＡＭ１２に展開する。それによってディスプレイ１５に演奏できない旨が報知出力される。もちろん、合成音声などを音響出力して報知する形態も可能である。
【００２９】
＝＝＝カラオケサーバー側の情報管理＝＝＝
カラオケサーバー２０は、本発明の運用方法に則った処理として、カラオケデータ配信・情報管理データベース操作・情報利用料金算出の各処理を行う。なお、カラオケデータの配信については上述した。
【００３０】
＜情報管理データベース操作＞
カラオケサーバー２０は、各カラオケ演奏端末１から送付される無効楽曲通知電文を受け付け、その電文が含むカテゴリを該当の端末管理情報に対応付けする。図４は、本実施例における端末管理情報の概略構造を示している。各カラオケ演奏端末に、カラオケデータの配信先電話番号（端末番号）、無効楽曲のカテゴリ、演奏履歴（楽曲番号と演奏日時）、端末の設置店舗（名称、連絡先など）が対応付けされている。
【００３１】
＜課金処理＞
カラオケサーバー２０は端末管理情報に基づいて各店舗に請求すべき情報利用料金を算出している。本実施例では、全ての楽曲が有効楽曲に設定されている状態を基準にして、無効楽曲のカテゴリが１つ設定される毎に所定の情報利用料金を減額し、該当の店舗への請求金額を算出している。なお、請求日は、普通、所定の期日（毎月末日など）に設定されているので、期日の起算日以外の日に各カラオケ演奏端末１にて無効楽曲の設定が変更された場合は、その設定日に基づいて情報利用料金を日割り計算することとしている。
【００３２】
＝＝＝その他の実施例＝＝＝
上記実施例では、リクエストされた無効楽曲は演奏されないこととしている。しかし、無効楽曲を演奏した上で、その演奏事実に対する情報利用料金を算出する形態も可能である。この形態をその他の実施例として挙げ、以下に説明する。
【００３３】
無効楽曲の設定は上記実施例と同様であるが、リクエストされた楽曲は無効／有効に拘わらず、全て演奏することとする。ただし、演奏楽曲が無効楽曲である場合は、その無効楽曲を演奏したという事実を含んだ電文（無効楽曲演奏電文）をカラオケサーバー２０に送付する。図５に無効楽曲演奏電文の一例を概略データ構造図として示した。電文を送付したカラオケ演奏端末１の識別子と演奏した無効楽曲の楽曲番号とその演奏日時とが記載されている。
【００３４】
カラオケサーバー２０は、この無効楽曲電文を受け取ると、この電文中の楽曲番号を端末識別子によって特定される端末管理情報に対応付けして情報管理データベース２４を更新する。また、このカラオケ演奏端末１に対する課金処理としては、カテゴリ単位で課金される情報利用料金に、無効楽曲の演奏機会ごとに計上される所定の情報利用料金を加算するなどしてカラオケ演奏端末１ごとの全情報利用料金を算出する。
【００３５】
＝＝＝補足・変更例・応用例＝＝＝
上記実施例では、無効楽曲と有効楽曲とを区別するために無効楽曲台帳を作成していた。この方式に限らず、無効楽曲のカテゴリのみを記憶しておき、リクエスト機会ごとに該当のカラオケデータに付帯するカテゴリを調査して無効楽曲と有効楽曲とを区別することとしてもよい。
【００３６】
上記実施例では、無効楽曲のカテゴリが設定されると、その設定が直ちに有効となり、直後のリクエスト機会から該当楽曲が演奏禁止となる。しかし、カラオケサーバー側で情報利用料金の日割り計算を行わない場合にこの方式を採用すると、情報利用料金の計算に不具合が生じる。そのため、所定の期日をもって設定事項が有効となるようにしてもよい。例えば、中央制御部は、無効楽曲を有効楽曲に変更する旨の設定入力を受け付け、その設定情報のみを記憶しておく。所定の期日まではこの楽曲を無効楽曲として処理する。なお、有効楽曲への変更が予定されている無効楽曲が期日前にリクエストされた場合、所定の期日からその楽曲が演奏できる旨をディスプレイに表示出力するなどして予告しておけば、店舗としても顧客を失う可能性を少なくすることができよう。なお、無効楽曲通知電文は期日に合わせて定期的に送付してもよいし、設定変更の受け付け機会ごとに随時通知してもよい。
【００３７】
また、その他の実施例として挙げた方式でも、カテゴリ単位の無効楽曲設定については所定の期日毎に有効化することとすれば、日割り計算をしない形態にも対応できる。無効楽曲演奏電文は、無効楽曲の演奏事実の発生機会ごとに作成／送付してカラオケサーバー側で管理してもよいし、期日の起算日から終了日までに発生した全演奏事実を記載して所定の期日に送付してもよい。
【００３８】
【発明の効果】
本発明による通信カラオケシステムの運用方法によれば、カラオケ演奏端末はカラオケサーバーが配信するカラオケデータを指定しない。カラオケサーバーは、補充すべきカラオケデータを各カラオケ演奏端末に配信し、配信に関わる煩雑な管理をなくしている。そのため、カラオケ事業者はカラオケサーバーのメンテナンス費用が軽減される。
【００３９】
カラオケ店舗は、特定のカテゴリに属する楽曲を無効楽曲として演奏を禁止することができる。カラオケサーバーは、各カラオケ演奏端末に対応付けされた無効楽曲の設定状態などの端末管理情報に基づいて情報利用料金を計算するため、無効楽曲についてはその情報利用料金を割り引いてもらうなど、利用頻度の低い楽曲に対する無駄な費用の発生を抑えることができる。したがって、カラオケシステム全体に掛かる運用コストを抑えることができる。
【００４０】
また、カラオケデータを一律に配信しているため、無効楽曲のカラオケデータ自体は各カラオケ演奏端末にすでに蓄積されていることになる。そのため、設定の変更に伴うカラオケデータの再配信が必要なく、客層の変化などに迅速かつ柔軟に対応できる。
【００４１】
リクエストされた無効楽曲を演奏し、その演奏事実をカラオケサーバー側に通知すれば、カテゴリ単位での情報利用料金と楽曲単位での情報利用料金とを個別に算出するなど、適宜な課金体系が採用できる。店舗側では利用頻度の低い楽曲に要する無駄な情報利用料金を不要にしつつ、全楽曲の演奏を可能にして、薄い客層の利用者にも常時対応することができる。
【図面の簡単な説明】
【図１】本発明の実施例における運用方法を適用した通信カラオケシステムのネットワーク概略図である。
【図２】上記通信カラオケシステムを構成するカラオケ演奏端末の概略構成図である。
【図３】上記実施例において、カラオケ演奏端末がカラオケサーバーに送付する無効楽曲通知電文の概略データ構成図である。
【図４】上記実施例において、カラオケサーバーにて管理される端末管理情報の概略データ構成図である。
【図５】本発明のその他の実施例における運用方法において、カラオケ演奏端末がカラオケサーバーに送付する無効楽曲演奏電文の概略データ構成図である。
【符号の説明】
１  カラオケ演奏端末
２  中央制御部
３  ハードディスク装置
１６  通信制御部（カラオケ演奏端末側）
２０  カラオケサーバー
２２  通信制御部（カラオケサーバー側）
２３  カラオケデータベース
２４  情報管理データベース
【図１】
0004141630.tif 000002
【図２】
0004141630.tif 000003
【図３】
0004141630.tif 000004
【図４】
0004141630.tif 000005
【図５】
0004141630.tif 000006